(57)【特許請求の範囲】
【請求項１】
端末装置を収納可能な保管庫と、
前記保管庫に収納された前記端末装置と接続する接続部と、
前記接続部に接続された前記端末装置を充電するための充電処理を行う充電制御部と、
前記接続部に接続された前記端末装置をメンテナンスするためのメンテナンス処理を行うメンテナンス処理部と、
前記接続部に接続され前記充電処理及び前記メンテナンス処理が行われる前記端末装置の動作モードを、通常モードから、前記通常モードより消費電力が少ない省電力モードに切り替えるための第１指示信号を出力するモード設定部と、
前記第１指示信号に応じて当該端末装置の動作モードを前記通常モードから前記省電力モードに切り替えるモード制御部と、
を備え、
前記モード設定部は、前記充電処理及び前記メンテナンス処理が行われる前記端末装置の電源がＯＮ状態であり、且つ当該端末装置の前記メンテナンス処理が実行中である場合に、前記第１指示信号を出力する、
情報処理システム。
【請求項２】
前記モード設定部は、前記充電処理及び前記メンテナンス処理が行われる前記端末装置の電源がＯＮ状態であり、且つ当該端末装置の前記メンテナンス処理が実行中であり、且つ前記保管庫内の温度が閾値を超えた場合に、前記第１指示信号を出力する、
請求項１に記載の情報処理システム。
【請求項３】
前記モード設定部は、前記接続部に接続された前記端末装置が前記省電力モードを実行している場合において、所定の条件が満たされた場合に、当該端末装置の動作モードを前記通常モードに切り替えるための第２指示信号を出力し、
前記モード制御部は、前記第２指示信号に応じて当該端末装置の動作モードを通常モードに切り替える、
請求項１又は２に記載の情報処理システム。
【請求項４】
前記端末装置は、前記省電力モードの実行時に、前記端末装置に搭載されたデバイスの動作を抑制するための抑制処理を行う抑制処理部を備える、
請求項１〜３のいずれか１項に記載の情報処理システム。
【請求項５】
前記端末装置は、
前記通常モード時における前記端末装置の設定内容を示す通常設定情報を保存する設定保存部と、
前記設定保存部に保存された前記通常設定情報に基づき、前記省電力モードを前記通常モードに復帰させる復帰処理を行う復帰処理部と、
を備える、
請求項１〜４のいずれか１項に記載の情報処理システム。
【請求項６】
保管庫内に収納された状態で充電処理及びメンテナンス処理が行われる端末装置の動作モードを切り替えるための処理を行う制御装置であって、
前記充電処理を行う充電制御装置に接続され前記充電処理及び前記メンテナンス処理が行われる前記端末装置の動作モードを、通常モードから、前記通常モードより消費電力が少ない省電力モードに切り替えるための第１指示信号を出力する処理を行うモード設定部を備え、
前記モード設定部は、前記充電処理及び前記メンテナンス処理が行われる前記端末装置の電源がＯＮ状態であり、且つ当該端末装置の前記メンテナンス処理が実行中である場合に、前記第１指示信号を出力する、
制御装置。
【請求項７】
保管庫内に収納された状態で充電処理及びメンテナンス処理が行われる端末装置の動作モードを切り替えるための処理を行うコンピュータに、
前記充電処理を行う装置に接続され前記充電処理及び前記メンテナンス処理が行われる前記端末装置の動作モードを、通常モードから、前記通常モードより消費電力が少ない省電力モードに切り替えるための第１指示信号を出力する処理を実行させ、
前記第１指示信号は、前記充電処理及び前記メンテナンス処理が行われる前記端末装置の電源がＯＮ状態であり、且つ当該端末装置の前記メンテナンス処理が実行中である場合に出力される、
プログラム。
【発明の詳細な説明】
【技術分野】
【０００１】
本発明は、情報処理システム、制御装置、及びプログラムに関する。
【背景技術】
【０００２】
近年、学校、会社等の施設内において、タブレット型ＰＣ（Personal  Computer）、ノート型ＰＣ等の端末装置を各人が１台ずつ使用して作業を行う状況が増えている。このような状況において、複数の端末装置を施設内に設置された専用の保管庫に収納して管理する場合がある。各人は、授業、業務等の作業の開始前に保管庫から端末装置を取り出し、取り出した端末装置を起動して作業を行う。作業の終了後、各人は、使用していた端末装置を保管庫内に収納する。このとき、端末装置を保管庫に設けられたコネクタにケーブルを介して接続すると、端末装置の充電やメンテナンス（プログラムのアップデート等）が実行される。
【先行技術文献】
【特許文献】
【０００３】
【特許文献１】国際公開第２０１８／０９６７９８号
【発明の概要】
【発明が解決しようとする課題】
【０００４】
しかしながら、保管庫内に複数の端末装置が収納された状態で充電やメンテナンスが実行されると、保管庫内の温度が過度に上昇する可能性がある。
【０００５】
開示の技術は、上記に鑑みてなされたものであって、複数の端末装置を収納する保管庫内の温度上昇を抑制できる情報処理システム、制御装置、及びプログラムを提供することを目的とする。
【課題を解決するための手段】
【０００６】
本発明の第１形態に係る情報処理システムは、端末装置を収納可能な保管庫と、前記保管庫に収納された前記端末装置と接続する接続部と、前記接続部に接続された前記端末装置を充電するための処理を行う充電制御部と、前記接続部に接続された前記端末装置をメンテナンスするためのメンテナンス処理を行うメンテナンス処理部と、所定の条件が満たされた場合に、前記接続部に接続された前記端末装置の動作モードを、通常モードから、前記通常モードより消費電力が少ない省電力モードに切り替えるための第１指示信号を出力するモード設定部と、前記第１指示信号に応じて当該端末装置の動作モードを前記通常モードから前記省電力モードに切り替えるモード制御部と、を備える。
【０００７】
本発明の第２形態に係る制御装置は、保管庫内に収納された状態で充電処理及びメンテナンス処理が行われる端末装置の動作モードを切り替えるための処理を行う制御装置であって、前記充電処理を行う充電処理装置と通信可能に接続する内部接続部と、所定の条件が満たされた場合に、前記充電制御装置に接続された前記端末装置の動作モードを、通常モードから、前記通常モードより消費電力が少ない省電力モードに切り替えるための処理を行うモード設定部と、を備える。
【０００８】
本発明の第３形態に係るプログラムは、保管庫内に収納された状態で充電処理及びメンテナンス処理が行われる端末装置の動作モードを切り替えるための処理を行うコンピュータに、所定の条件が満たされた場合に、前記充電制御を行う装置に接続された前記端末装置の動作モードを、通常モードから、前記通常モードより消費電力が少ない省電力モードに切り替えるための処理、を実行させる。
【発明の効果】
【０００９】
本発明によれば、複数の端末装置を収納する保管庫内の温度上昇を抑制できる。
【図面の簡単な説明】
【００１０】
【図１】図１は、第１実施形態に係る情報処理システムを示す図である。
【図２】図２は、第１実施形態に係る充電キャビネットの外観を示す図である。
【図３】図３は、第１実施形態に係る充電キャビネットに収納された端末装置の周辺部分を拡大した図である。
【図４】図４は、第１実施形態に係る情報処理システムの構成を示すブロック図である。
【図５】図５は、第１実施形態における端末装置への電源供給の流れを示す図である。
【図６】図６は、第１実施形態において情報処理装置がケーブルを介して端末装置を制御する場合の情報の流れを示す図である。
【図７】図７は、第１実施形態において情報処理装置が無線通信を介して端末装置と情報を送受信する場合の情報の流れを示す図である。
【図８】図８は、第１実施形態に係る充電制御装置のハードウェア構成を示す図である。
【図９】図９は、第１実施形態に係る端末装置のハードウェア構成及び端末制御部のハードウェア構成を示す図である。
【図１０】図１０は、第１実施形態に係る情報処理システムの機能構成を示す図である。
【図１１】図１１は、第１実施形態に係る情報処理システムにおける処理の流れを示すシーケンス図である。
【図１２】図１２は、第１実施形態に係る情報処理システムにおいて端末装置と充電制御装置との接続が切断されたときの処理を示すシーケンス図である。
【図１３】図１３は、第２実施形態に係る情報処理システムにおける処理を示すシーケンス図である。
【図１４】図１４は、第３実施形態に係る情報処理システムにおける処理を示すシーケンス図である。
【発明を実施するための形態】
【００１１】
以下に、実施形態について図面を参照して説明する。なお、実施形態により開示技術が限定されるものではない。
【００１２】
（第１実施形態）
まず、実施形態に係る情報処理システム１０について説明する。
【００１３】
図１は、第１実施形態に係る情報処理システム１０を示す図である。本実施形態において、情報処理システム１０は、学校における授業を支援するためのシステムである。なお、情報処理システム１０は、学校における授業の支援に限らず、他の環境に適用されてもよい。情報処理システム１０は、例えば、会社内、セミナー、会議等のような、多数の参加者がコンピュータを操作しながら作業を行う環境であれば、どのような環境に適用されてもよい。
【００１４】
情報処理システム１０は、複数の端末装置２０と、サーバ２２と、無線通信装置２４と、充電キャビネット２６（保管庫）とを備える。
【００１５】
複数の端末装置２０のそれぞれは、タブレット型又はノート型のコンピュータである。端末装置２０は、情報の入力機能、出力機能、及び情報処理機能を有する。端末装置２０は、二次電池を有し、二次電池に充電された電力により動作可能である。従って、端末装置２０は、ユーザにより持ち運びが可能である。また、端末装置２０は、無線通信機能を有し、通信用ケーブルを介さずに他の装置と情報通信が可能である。
【００１６】
サーバ２２は、サーバ型コンピュータであり、内部ネットワークを介して複数の端末装置２０からアクセスされる。サーバ２２は、例えば、外部ネットワーク上の装置から内部ネットワーク上の装置へのアクセスを制限したり、内部ネットワーク上の装置から外部ネットワーク上の装置へのアクセスを制限したりする。
【００１７】
無線通信装置２４は、充電キャビネット２６の外部に設けられる。無線通信装置２４は、内部ネットワークに有線により接続される。無線通信装置２４は、複数の端末装置２０のそれぞれと無線通信により接続する。無線通信装置２４は、無線通信により接続された端末装置２０を内部ネットワーク上の他の装置にアクセスさせる。
【００１８】
充電キャビネット２６は、複数の端末装置２０を内部に収納する。充電キャビネット２６の内部に収納された端末装置２０は、ユーザにより取り出し可能である。
【００１９】
充電キャビネット２６は、内部に収納されている端末装置２０を充電する。充電キャビネット２６は、内部に収納されている端末装置２０の電源を起動したり、シャットダウンしたりすることができる。充電キャビネット２６は、内部に収納されている端末装置２０と有線又は無線により通信することができる。
【００２０】
また、充電キャビネット２６は、内部ネットワークに接続されている。充電キャビネット２６は、外部の装置からの指示に応じて、内部に収納されている端末装置２０を操作したり、通信をしたりすることができる。
【００２１】
このような情報処理システム１０において、複数の端末装置２０のそれぞれは、作業前にユーザにより充電キャビネット２６から取り出される。作業中において、端末装置２０は、ユーザにより使用される。作業中において、端末装置２０は、無線通信装置２４を介してサーバ２２にアクセスする。これにより、作業中において、端末装置２０は、サーバ２２から所定の情報を取得し、ユーザに参照させることができる。また、作業中において、端末装置２０は、ユーザにより入力された情報をサーバ２２にアップロードできる。
【００２２】
複数の端末装置２０のそれぞれは、作業の終了後、充電キャビネット２６内に収納される。充電キャビネット２６は、収納された端末装置２０を、次の作業の開始までに充電する。これにより、作業中に端末装置２０が充電切れで動作できなくなる可能性を低減できる。
【００２３】
また、充電キャビネット２６は、外部の装置等からの遠隔操作に応じて、収納された端末装置２０を動作させる。充電キャビネット２６は、例えば、収納された端末装置２０に、プログラムをアップデートさせたり、プログラムをインストールさせたりする。これにより、充電キャビネット２６は、遠隔地にいる保守作業員等に端末装置２０のメンテナンスをさせることができる。
【００２４】
図２は、第１実施形態に係る充電キャビネット２６の外観を示す図である。充電キャビネット２６は、内部に収納エリア２８を有する。複数の端末装置２０は、収納エリア２８の所定の位置に収納される。
【００２５】
充電キャビネット２６は、充電制御装置３０及び情報処理装置３２（制御装置）を有する。充電制御装置３０は、収納されている端末装置２０に対する充電の制御及び通信の制御を実行する。情報処理装置３２は、内部ネットワークを介して他の装置と通信する。また、情報処理装置３２は、充電制御装置３０を制御したり、収納エリア２８に収納されている端末装置２０と無線通信をしたりする。
【００２６】
図３は、第１実施形態に係る充電キャビネット２６に収納された端末装置２０の周辺部分を拡大した図である。充電キャビネット２６に収納された端末装置２０は、ケーブル３４（接続部）を介して充電制御装置３０と接続される。
【００２７】
ケーブル３４は、端末装置２０に対して着脱可能である。収納作業時において、端末装置２０は、ユーザの手作業によりケーブル３４に取り付けられる。また、取出作業時において、端末装置２０は、ユーザの手作業によりケーブル３４から取り外される。
【００２８】
ケーブル３４は、２つの装置間で電力供給及び情報通信を行う仕様を定めた規格に準拠している。本実施形態においては、ケーブル３４は、ＵＳＢ（Universal  Serial  Bus）−Ｃ規格に準拠したＵＳＢ  Ｔｙｐｅ−Ｃケーブルである。この規格によれば、２つの装置の間で情報の通信とともに、電力の供給を行うことができる。
【００２９】
図４は、第１実施形態に係る情報処理システム１０の構成を示すブロック図である。図４において、内部に端末装置２０を収納した充電キャビネット２６の構成が、サーバ２２及び無線通信装置２４と共に示されている。充電キャビネット２６は、充電制御装置３０と、情報処理装置３２と、複数のケーブル３４と、電源タップ３６と、温度センサ３７と、ファン３９とを有する。
【００３０】
充電制御装置３０は、ケーブル３４を介して１又は複数の端末装置２０と接続される。１又は複数のケーブル３４のそれぞれは、一方の端子が充電制御装置３０に接続され、他方の端子が端末装置２０と接続可能となっている。充電制御装置３０は、１又は複数の端末装置２０のそれぞれに対する充電の制御及び通信の制御を実行する。
【００３１】
情報処理装置３２は、通信機能及び情報処理機能を有するコンピュータである。情報処理装置３２は、ＣＰＵ（Central  Processing  Unit）、ＲＯＭ（Read  Only  Memory）、ＲＡＭ（Random  Access  Memory）等を含み、例えばＲＯＭに予め記憶されたプログラムをＲＡＭに展開して、プログラムに従った制御をする。情報処理装置３２は、内部ネットワークに接続され、内部ネットワーク上の他の装置と情報通信を行う。情報処理装置３２は、サーバ２２を介して、外部ネットワーク上の他の装置と情報通信を行う。情報処理装置３２は、内部通信ケーブル３８を介して充電制御装置３０に接続される。これにより、情報処理装置３２は、充電制御装置３０を制御することができる。
【００３２】
内部通信ケーブル３８は、情報処理装置３２と充電制御装置３０とを接続する。内部通信ケーブル３８は、ＵＳＢ−Ｃ規格に準拠したＵＳＢ  Ｔｙｐｅ−Ａ  ｔｏ  Ｃケーブルである。内部通信ケーブル３８は、これに限らず、他の規格に準拠したケーブルであってよい。
【００３３】
情報処理装置３２は、内部無線通信装置４０を含む。内部無線通信装置４０は、充電キャビネット２６に収納されている１又は複数の端末装置２０のそれぞれと無線通信により接続する。これにより、情報処理装置３２は、充電キャビネット２６に収納されている１又は複数の端末装置２０のそれぞれとの間で無線通信により情報の送受信をすることができる。なお、内部無線通信装置４０は、情報処理装置３２の内部に設けられていてもよいし、情報処理装置３２の外部に設けられていてもよい。
【００３４】
電源タップ３６は、ＡＣケーブルを介して、施設に設けられた商用ＡＣ電源コンセントに接続される。また、電源タップ３６は、複数のサブ電源コンセントを有する。電源タップ３６のサブ電源コンセントには、情報処理装置３２にＡＣ電力を供給するためのＡＣケーブルが接続される。これにより、情報処理装置３２は、ＡＣ電力を動力源として動作することができる。
【００３５】
また、電源タップ３６のサブ電源コンセントには、充電制御装置３０にＡＣ電力を供給するためのＡＣケーブルが接続される。これにより、充電制御装置３０は、ＡＣ電力を動力源として動作することができる。なお、充電制御装置３０及び情報処理装置３２は、ＡＣ電力をＤＣ電力に変換するＡＣアダプタから、ＤＣ電力を受け取ってもよい。
【００３６】
温度センサ３７は、充電キャビネット２６内の温度（庫内温度）を検出する。温度センサ３７は、充電制御装置３０に接続され、検出結果（庫内温度を示す信号）を充電制御装置３０に出力する。また、温度センサ３７の検出結果は、充電制御装置３０を介して情報処理装置３２により取得され得る。
【００３７】
ファン３９は、充電キャビネット２６内に冷却風を発生させる。ファン３９は、充電制御装置３０に接続され、充電制御装置３０からの制御信号に応じて駆動する。ファン３９は、例えば、庫内温度が閾値を超えた場合に駆動される。ファン３９を駆動させるための制御信号は、充電制御装置３０により生成されてもよいし、情報処理装置３２により生成されてもよい。
【００３８】
図５は、第１実施形態における端末装置２０への電源供給の流れを示す図である。充電制御装置３０は、商用ＡＣ電源コンセントから電力を受け取り、ケーブル３４に接続された端末装置２０に対してＤＣ電力を供給する。
【００３９】
充電制御装置３０は、情報処理装置３２からの制御に応じて、ケーブル３４に接続された１又は複数の端末装置２０のそれぞれに対して供給する電圧及び電流の組み合わせを変更することができる。これにより、充電制御装置３０は、商用ＡＣ電源コンセントが供給可能な電力の範囲内で、複数の端末装置２０に対して電力を供給することができる。また、充電制御装置３０は、情報処理装置３２からの制御に応じて、一部の端末装置２０毎に順番に充電を行う輪番充電をしてもよい。
【００４０】
図６は、第１実施形態において情報処理装置３２がケーブル３４を介して端末装置２０を制御する場合の情報の流れを示す図である。情報処理装置３２は、内部通信ケーブル３８を介して充電制御装置３０に対して各種のコマンドを与える。これにより、情報処理装置３２は、ケーブル３４に接続された１又は複数の端末装置２０の動作を制御することができる。また、情報処理装置３２は、内部通信ケーブル３８を介して充電制御装置３０から各種の通知を受け取る。これにより、情報処理装置３２は、ケーブル３４に接続された１又は複数の端末装置２０の状態等を検出することができる。
【００４１】
図７は、第１実施形態において情報処理装置３２が無線通信４１を介して端末装置２０と情報を送受信する場合の情報の流れを示す図である。充電キャビネット２６に収納された端末装置２０が起動している場合、情報処理装置３２の内部無線通信装置４０は、無線通信４１のためのアクセスポイントを端末装置２０に対して提供する。情報処理装置３２は、アクセスポイントを介して、充電キャビネット２６に収納された端末装置２０と情報を送受信することができる。
【００４２】
また、情報処理装置３２は、外部ネットワーク上の他の装置からデータをダウンロードし、ダウンロードしたデータを、アクセスポイントを介して充電キャビネット２６に収納された端末装置２０に送信することができる。これにより、情報処理装置３２は、端末装置２０にプログラムをインストールさせたり、端末装置２０にプログラムを更新させたりすることができる。
【００４３】
図８は、第１実施形態に係る充電制御装置３０のハードウェア構成を示す図である。充電制御装置３０は、上位変換部４２と、装置制御部４４と、複数の端末制御部４６とを有する。
【００４４】
上位変換部４２は、情報処理装置３２と内部通信ケーブル３８を介して接続される。上位変換部４２は、内部通信ケーブル３８の信号線と、装置制御部４４及び複数の端末制御部４６が入出力する信号線との間の信号フォーマットの変換をする。
【００４５】
本実施形態においては、装置制御部４４及び複数の端末制御部４６は、ＲＳ４８５形式のフォーマットの信号を入出力する。従って、本実施形態に係る上位変換部４２は、ＵＳＢ−ＣとＲＳ４８５との間の信号フォーマットの変換をする。
【００４６】
なお、装置制御部４４及び複数の端末制御部４６がＵＳＢ−Ｃの信号の入出力をする場合には、充電制御装置３０は、上位変換部４２を有さなくてもよい。また、上位変換部４２は、ＲＳ４８５に限らず他の形式に変換してもよい。
【００４７】
装置制御部４４は、内部にプロセッサ回路等を有する。装置制御部４４は、充電制御装置３０の全体を制御する。装置制御部４４には、温度センサ３７及びファン３９が接続されている。装置制御部４４は、温度センサ３７により検出された充電キャビネット２６内の温度に基づきファン３９の駆動を制御する。温度センサ３７による検出結果は、上位変換部４２及び内部通信ケーブル３８を介して情報処理装置３２に出力され得る。
【００４８】
複数の端末制御部４６のそれぞれは、ケーブル３４を介して端末装置２０と接続可能である。複数の端末制御部４６のそれぞれは、対応するケーブル３４を介して接続された端末装置２０に対して、充電の制御及び通信の制御を実行する。複数の端末制御部４６のそれぞれは、複数本のケーブル３４を介して複数個の端末装置２０と接続されてもよい。
【００４９】
また、複数の端末制御部４６のそれぞれは、情報処理装置３２から上位変換部４２を介してコマンドを受け取る。複数の端末制御部４６のそれぞれは、情報処理装置３２から受け取ったコマンドに応じて、充電の制御及び通信の制御を実行することもできる。また、複数の端末制御部４６のそれぞれは、対応するケーブル３４を介して接続された端末装置２０の状態等を、上位変換部４２を介して情報処理装置３２に通知する。
【００５０】
図９は、第１実施形態に係る端末装置２０のハードウェア構成及び端末制御部４６のハードウェア構成を示す図である。複数の端末制御部４６のそれぞれは、充電側ＰＤコントローラ５２と、充電側通信プロセッサ５４と、下位変換部５６と、充電側電源部５８とを有する。
【００５１】
充電側ＰＤコントローラ５２は、ケーブル３４を介して端末装置２０と接続可能である。充電側ＰＤコントローラ５２は、ケーブル３４を用いた電力供給及び情報通信を行う仕様を定めた規格に従って、電力供給及び情報通信を行う。
【００５２】
本実施形態においては、充電側ＰＤコントローラ５２は、端末装置２０との間で、ＵＳＢ−Ｃ規格に準拠した方式で電力供給及び情報通信を行う。本実施形態においては、充電側ＰＤコントローラ５２は、ＵＳＢ−Ｃ規格に準拠したケーブル３４におけるＣＣ（Configuration  Cannel）信号線を介して、ＶＤＭ（Vendor  Defined  Messaging）信号を端末装置２０との間で送受信する。
【００５３】
充電側ＰＤコントローラ５２は、ケーブル３４を介して端末装置２０に接続された場合に、規格において予め定められたシーケンス（パワーデリバリシーケンス）を端末装置２０との間で実行することにより、端末装置２０に供給する電圧及び電流の組み合わせを決定する。本実実施形態においては、充電側ＰＤコントローラ５２は、ＵＳＢ−Ｃ規格で定められたパワーデリバリシーケンスを実行することにより、端末装置２０に供給する電圧及び電流の組み合わせを決定する。そして、充電側ＰＤコントローラ５２は、決定した電圧及び電流の組み合わせの電力を端末装置２０に供給するように、充電側電源部５８に指示を与える。
【００５４】
充電側通信プロセッサ５４は、ＣＰＵ、ＲＯＭ、ＲＡＭ等を含み、充電側ＰＤコントローラ５２を制御する。充電側通信プロセッサ５４は、例えばＲＯＭに予め記憶されたプログラムをＲＡＭに展開して、プログラムに従った制御をする。また、充電側通信プロセッサ５４は、プログラムに従って、下位変換部５６及び上位変換部４２を介して、情報処理装置３２からコマンドを受け取る。また、充電側通信プロセッサ５４は、プログラムに従って、下位変換部５６及び上位変換部４２を介して、情報処理装置３２に情報を通知する。
【００５５】
下位変換部５６は、上位変換部４２とバスを介して接続される。下位変換部５６は、上位変換部４２と接続するバスの信号線と、充電側通信プロセッサ５４が入出力する信号線との間の信号フォーマットの変換をする。
【００５６】
本実施形態においては、充電側通信プロセッサ５４は、ＵＡＲＴ（Universal  Asynchronous  Receiver/Transmitter）形式のフォーマットの信号を入出力する。従って、本実施形態において、下位変換部５６は、ＲＳ４８５とＵＡＲＴとの間の信号フォーマットの変換をする。
【００５７】
なお、充電側通信プロセッサ５４がＲＳ４８５の信号の入出力をする場合には、端末制御部４６は、下位変換部５６を有さなくてもよい。また、下位変換部５６は、ＲＳ４８５に限らず他の形式に変換してもよい。
【００５８】
充電側電源部５８は、ＡＣ電圧を直流に変換する電力変換器から電力を受け取る。充電側電源部５８は、充電側ＰＤコントローラ５２からの指示に従って、ケーブル３４を介して端末装置２０に指定された電圧及び電流の組み合わせの電力を供給する。
【００５９】
端末装置２０は、端末側ＰＤコントローラ６２と、端末側通信プロセッサ６４と、プロセッシング回路６６と、無線通信部６８と、バッテリ７０と、端末側電源部７２と、電源スイッチ７４とを有する。
【００６０】
端末側ＰＤコントローラ６２は、ケーブル３４を介して充電制御装置３０と接続可能である。端末側ＰＤコントローラ６２は、ケーブル３４を用いた電力供給及び情報通信を行う仕様を定めた規格に従って、電力供給を受けると共に情報通信を行う。
【００６１】
本実施形態においては、端末側ＰＤコントローラ６２は、充電制御装置３０との間で、ＵＳＢ−Ｃ規格に準拠した方式で電力供給を受けると共に情報通信を行う。本実施形態においては、端末側ＰＤコントローラ６２は、ＵＳＢ−Ｃ規格に準拠したケーブル３４におけるＣＣ信号線を介して、ＶＤＭ信号を充電制御装置３０と送受信する。
【００６２】
端末側ＰＤコントローラ６２は、ケーブル３４を介して充電制御装置３０に接続された場合に、規格において予め定められたシーケンス（パワーデリバリシーケンス）を充電制御装置３０との間で実行することにより、充電制御装置３０から受け取る電圧及び電流の組み合わせを決定する。本実施形態においては、端末側ＰＤコントローラ６２は、ＵＳＢ−Ｃ規格で定められたパワーデリバリシーケンスを実行することにより、充電制御装置３０から受け取る電圧及び電流の組み合わせを決定する。そして、端末側ＰＤコントローラ６２は、決定し電圧及び電流の組み合わせの電力を充電制御装置３０から受け取るように、端末側電源部７２に指示を与える。
【００６３】
端末側通信プロセッサ６４は、ＣＰＵ、ＲＯＭ及びＲＡＭ等を含み、端末側ＰＤコントローラ６２を制御する。端末側通信プロセッサ６４は、例えばＲＯＭに予め記憶されたプログラムをＲＡＭに展開して、プログラムに従った制御をする。例えば、端末側通信プロセッサ６４は、プロセッシング回路６６に対して、ケーブル３４を介して接続された充電制御装置３０に関する情報等を与える。また、端末側通信プロセッサ６４は、ケーブル３４を介して充電制御装置３０から受け取った情報に基づき、電源スイッチ７４の状態を制御する。
【００６４】
プロセッシング回路６６は、ＣＰＵ、ＲＯＭ及びＲＡＭ等を含み、端末装置２０の全体の制御を実行する。プロセッシング回路６６は、例えばＲＯＭに予め記憶されたプログラムをＲＡＭに展開して、プログラムに従った制御をする。プロセッシング回路６６は、プログラムの実行に従って、端末側通信プロセッサ６４にコマンドを与えたり、端末側通信プロセッサ６４から情報を取得したりする。また、プロセッシング回路６６は、プログラムの実行に従って、無線通信部６８を制御する。
【００６５】
無線通信部６８は、プロセッシング回路６６による制御に従って、無線通信をする。本実施形態においては、無線通信部６８は、無線通信装置２４及び内部無線通信装置４０と無線通信をする。そして、無線通信部６８は、プロセッシング回路６６と他装置との間の情報通信を中継する。
【００６６】
バッテリ７０は、二次電池である。バッテリ７０は、端末装置２０に含まれる各回路に電力を供給する。
【００６７】
端末側電源部７２は、バッテリ７０から電力を受け取り、バッテリ７０から受け取った電力を、電源スイッチ７４を介してプロセッシング回路６６、無線通信部６８等の各回路に供給する。なお、端末側ＰＤコントローラ６２、端末側通信プロセッサ６４、及び端末側電源部７２は、端末装置２０の電源状態に関わらず常時電力が供給されている。
【００６８】
また、端末側電源部７２は、端末側ＰＤコントローラ６２からの指示に従って、ケーブル３４を介して充電制御装置３０から電力を受け取ることもできる。この場合、端末側電源部７２は、充電制御装置３０から受け取った電力を、電源スイッチ７４を介してプロセッシング回路６６及び無線通信部６８等の各回路に供給する。また、端末側電源部７２は、ケーブル３４を介して充電制御装置３０から受け取った電力をバッテリ７０に供給することにより、バッテリ７０を充電する。
【００６９】
電源スイッチ７４は、オン状態において、端末側電源部７２から出力された電力を、プロセッシング回路６６、無線通信部６８等の各回路に供給する。電源スイッチ７４は、オフ状態において、プロセッシング回路６６、無線通信部６８等の各回路への電力供給を切断する。
【００７０】
なお、電源スイッチ７４は、オルタネート動作をするプッシュスイッチである。例えば、電源スイッチ７４は、筐体に設けられた電源ボタンがユーザにより押された場合に、状態を切り替える。例えば、電源スイッチ７４は、オフ状態において、電源ボタンが押された場合には、オン状態に切り替える。また、電源スイッチ７４は、オン状態において、電源ボタンが押された場合には、オフ状態に切り替える。
【００７１】
また、電源スイッチ７４は、端末装置２０の内部の回路からの信号によっても状態を切り替える。本実施形態においては、端末側通信プロセッサ６４は、電源スイッチ７４の状態を切り替えることができる。
【００７２】
図１０は、第１実施形態に係る情報処理システム１０の機能構成を示す図である。図１０において、端末装置２０、充電制御装置３０、及び情報処理装置３２のそれぞれの機能的構成要素が示されている。これらの機能的構成要素は、上述したハードウェア要素及びソフトウェア要素の協働により実現される。また、図１０において、端末装置２０と充電制御装置３０とがケーブル３４で接続され、充電制御装置３０と情報処理装置３２とが内部通信ケーブル３８で接続され、情報処理装置３２と端末装置２０とが内部無線通信装置４０による無線通信４１で接続された状態が示されている。
【００７３】
端末装置２０は、接続認識部１０１、機器情報出力部１０２、電源状態出力部１０３、メンテナンス処理部１０４、及びモード制御部１０５を有する。
【００７４】
接続認識部１０１は、端末装置２０（自機）がケーブル３４に接続されているか否か認識する。
【００７５】
機器情報出力部１０２は、端末装置２０に関する機器情報を出力する。機器情報とは、端末装置２０を特定する情報、端末装置２０に搭載されたデバイスの状態を示す情報等を含み、例えば、装置名、シリアルナンバ、充電残量等であり得る。機器情報は、ケーブル３４、充電制御装置３０、及び内部通信ケーブル３８を介して情報処理装置３２に通知される。
【００７６】
電源状態出力部１０３は、端末装置２０の電源状態を示す電源状態情報を出力する。電源状態は、例えば、ＯＮ状態、ＯＦＦ状態、スタンバイ（スリープ）状態等であり得る。電源状態情報は、ケーブル３４、充電制御装置３０、及び内部通信ケーブル３８を介して情報処理装置３２に通知される。
【００７７】
メンテナンス処理部１０４は、端末装置２０をメンテナンスするためのメンテナンス処理を行う。メンテナンス処理は、例えば、端末装置２０にインストールされているプログラム（オペレーティングシステム、アプリケーション、ファームウェア等）のアップデート、新規プログラムのインストール等であり得る。メンテナンス処理は、主に情報処理装置３２の管理下において、内部無線通信装置４０による無線通信４１や施設内に設置された無線通信装置２４による無線通信を利用して行われる。
【００７８】
モード制御部１０５は、端末装置２０の動作モードを制御する。本実施形態に係るモード制御部１０５は、情報処理装置３２が出力するコマンドに応じて、端末装置２０の動作モードを、通常モードと、通常モードより消費電力が少ない省電力モードとで切り替える。
【００７９】
モード制御部１０５は、抑制処理部１１１、復帰処理部１１２、及び設定保存部１１３を有する。
【００８０】
抑制処理部１１１は、省電力モードの実行時（情報処理装置３２が省電力モード実行コマンド（第１指示信号）を発行したとき）において、消費電力が低減されるように、端末装置２０に搭載されたデバイスの動作を抑制する抑制処理を行う。抑制処理は、例えば、メンテナンス処理に不要なデバイスの動作を抑制する処理であり得る。抑制処理は、例えば、ディスプレイのバックライトの無効化、ＵＳＢポートの無効化、ディスプレイの輝度の低減、ＣＰＵの動作の低速化等を実現する処理であり得る。上記のような抑制処理は、ハードウェア的な手法により実行されてもよいし、ソフトウェア的な手法により実行されてもよい。ハードウェア的な手法とは、例えば、不要なデバイスへの電力供給の停止等であり得る。ソフトウェア的な手法とは、例えば、ディスプレイの輝度の設定変更、ＣＰＵの動作速度の設定変更等であり得る。ソフトウェア的な手法は、例えば、抑制処理を行うための専用アプリケーションによりオペレーティングシステムの設定を変更すること等により実行され得る。
【００８１】
復帰処理部１１２は、通常モードの実行時（情報処理装置３２が通常モード実行コマンド（第２指示信号）を発行したとき）において、省電力モードを通常モードに復帰させる復帰処理を行う。復帰処理は、抑制処理により抑制されたデバイスの動作を通常時の動作に復帰させる。復帰処理により、例えば、抑制処理により変更されたディスプレイの輝度等の設定が通常時の設定（ユーザによりなされた設定等）に戻される。
【００８２】
設定保存部１１３は、通常モード時における端末装置２０の設定内容を示す通常設定情報を保存する。復帰処理部１１２は、設定保存部１１３に保存された通常設定情報に基づき復帰処理を実行する。
【００８３】
充電制御装置３０は、接続認識部２０１、充電制御部２０２、通信制御部２０３、温度検出部２０４、及びファン制御部２０５を有する。
【００８４】
接続認識部２０１は、ケーブル３４に端末装置２０が接続されたことを認識する。
【００８５】
充電制御部２０２は、テーブル３４に接続された端末装置２０に対する充電処理を制御する。充電制御部２０２は、例えば、端末装置２０のバッテリ残量の監視、端末装置２０へ供給する電力の電圧値及び電流値の調整等を行う。
【００８６】
通信制御部２０３は、ケーブル３４に接続された端末装置２０と情報処理装置３２との間の通信を制御する。通信制御部２０３は、例えば、端末装置２０から情報処理装置３２への情報（機器情報、電源状態情報等）の転送、情報処理装置３２から端末装置２０への情報（コマンド等）の転送等を行う。
【００８７】
温度検出部２０４は、温度センサ３７からの信号等に基づき庫内温度（充電キャビネット２６内の温度）を検出する。
【００８８】
ファン制御部２０５は、温度検出部２０４により検出された庫内温度に基づきファン３９の駆動を制御する。
【００８９】
情報処理装置３２は、メンテナンス管理部３０１及びモード設定部３０２を有する。
【００９０】
メンテナンス管理部３０１は、充電キャビネット２６に収納された端末装置２０のメンテナンス処理を管理する。メンテナンス管理部３０１は、各端末装置２０のメンテナンス処理（プログラムの更新等）の進行度合いを把握する。メンテナンス管理部３０１による管理処理は、主に内部無線通信装置４０による無線通信４１を利用して行われる。
【００９１】
モード設定部３０２は、充電キャビネット２６に収納された端末装置２０の動作モード（通常モード又は省電力モード）を設定し、設定されたモードを実行させるためのコマンド（通常モード実行コマンドまたは省電力モード実行コマンド）を出力する。モード設定部３０２は、所定の条件が満たされた場合に、充電キャビネット２６に収納された端末装置２０を省電力モードで動作させるための処理を行う。本実施形態における所定の条件は、端末装置２０の電源がＯＮ状態であり、且つメンテナンス処理の実行中であることである。端末装置２０の電源がＯＮ状態であるか否かは、端末装置２０の電源状態出力部１０３から出力された電源状態情報に基づき判定され得る。メンテナンス処理が実行中であるか否かは、メンテナンス管理部３０１からの情報に基づき判定され得る。
【００９２】
上記構成により、充電キャビネット２６に収納された端末装置２０の電源がＯＮ状態であり、且つメンテナンス処理の実行中である場合に、端末装置２０の動作モードが省電力モードに切り替えられる。これにより、庫内温度の上昇を抑制しつつ、端末装置２０の充電及びメンテナンス処理を実行できる。
【００９３】
図１１は、第１実施形態に係る情報処理システム１０における処理の流れを示すシーケンス図である。端末装置２０と充電制御装置３０とが接続される（端末装置２０がケーブル３４に接続される）と（Ｓ１０１）、充電制御装置３０の通信制御部２０３は、端末装置２０に対して機器情報の出力を要求する（Ｓ１０２）。端末装置２０の機器情報出力部１０２は、充電制御装置３０からの要求を受け取ると、機器情報を情報処理装置３２に対して出力する（Ｓ１０３）。情報処理装置３２は、端末装置２０からの端末情報を、充電制御装置３０を介して受け取ると、端末装置２０に対して電源状態情報の出力を要求する（Ｓ１０４）。端末装置２０の電源状態出力部１０３は、情報処理装置３２からの要求を、充電制御装置３０を介して受け取ると、電源状態情報を情報処理装置３２に対して出力する（Ｓ１０５）。
【００９４】
情報処理装置３２のメンテナンス管理部３０１は、端末装置２０から受け取った電源状態情報がＯＮ状態を示す場合、端末装置２０に対してメンテナンス処理を開始させる指示（メンテナンス開始コマンド）を、無線通信４１を介して出力する（Ｓ１０６）。このとき、端末装置２０の電源状態がＯＮ状態でない場合（ＯＦＦ状態又はスタンバイ状態である場合）、メンテナンス管理部３０１は、電源状態がＯＮ状態になるまで待機してもよい。また、情報処理装置３２のモード設定部３０２は、ステップＳ１０６の実行と同時又は実行直後に、端末装置２０に対して省電力モード実行コマンドを出力する（Ｓ１０７）。
【００９５】
端末装置２０のメンテナンス処理部１０４は、情報処理装置３２からメンテナンス開始コマンドを、無線通信４１を介して受け取ると、メンテナンス処理を実行する（Ｓ１０８）。また、端末装置２０のモード制御部１０５は、情報処理装置３２からの省電力モード実行コマンドを、充電制御装置３０を介して受け取ると、省電力モードを実行する（通常モードから省電力モードに切り替える）（Ｓ１０９）。具体的には、抑制処理部１１１がメンテナンス処理に不要なデバイスの動作を抑制するための処理（バックライトの無効化、ＵＳＢポートの無効化、ディスプレイの輝度の低減等）を行う。これにより、メンテナンス処理中の端末装置２０の消費電力量が低減され、端末装置２０の発熱量が低減され、庫内温度の上昇が抑制される。
【００９６】
その後、端末装置２０のモード制御部１０５は、動作モードが省電力モードに切り替わったことを示すモード情報を情報処理装置３２に対して出力する（Ｓ１１０）。情報処理装置３２のメンテナンス管理部３０１は、端末装置２０からのモード情報を、充電制御装置３０を介して受け取ると、無線通信４１を介して端末装置２０のメンテナンス処理の状況（プログラムの更新処理の進行度合い等）を監視する（Ｓ１１１）。
【００９７】
メンテナンス処理が完了すると、情報処理装置３２のモード設定部３０２は、端末装置２０に対して通常モード実行コマンドを出力する（Ｓ１１２）。端末装置２０のモード制御部１０５（復帰処理部１１２）は、情報処理装置３２からの通常モード実行コマンドを、充電制御装置３０を介して受け取ると、設定保存部１１３から通常設定情報を読み出し（Ｓ１１３）、通常設定情報に基づき通常モードを実行する（Ｓ１１４）。具体的には、復帰処理部１１２は、抑制処理部１１１により抑制されたデバイスの動作を通常時の動作に復帰させる。その後、端末装置２０のモード制御部１０５は、動作モードが通常モードに切り替わったことを示すモード情報を情報処理装置３２に対して出力する（Ｓ１１５）。
【００９８】
図１２は、第１実施形態に係る情報処理システム１０において端末装置２０と充電制御装置３０との接続が切断されたときの処理を示すシーケンス図である。端末装置２０と充電制御装置３０との接続が切断された場合（端末装置２０がケーブル３４から抜かれた場合）（Ｓ２０１）、充電制御装置３０の通信制御部２０３は、情報処理装置３２に対して端末装置２０と充電制御装置３０との接続が切断されたことを通知する（Ｓ２０２）。情報処理装置３２は、充電制御装置３０から当該通知を受け取ると、それまで接続されていた端末装置２０が切断されたことを示す情報を記録する（Ｓ２０３）。
【００９９】
一方、端末装置２０においては、接続認識部１０１が切断を認識すると（Ｓ２０４）、モード制御部１０５の復帰処理部１１２は、設定保存部１１３から通常設定情報を読み出し（Ｓ２０５）、通常設定情報に基づき通常モードを実行する（Ｓ２０６）。このような処理により、省電力モードで動作していた端末装置２０がケーブル３４から抜かれると、自動的に通常モードに切り替わる。
【０１００】
上記のような情報処理システム１０の機能を実現するために情報処理装置３２、端末装置２０、又は充電制御装置３０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。また、当該プログラムを、インターネット等のネットワークに接続されたコンピュータ上に格納し、ネットワーク経由でダウンロードさせることにより提供するように構成してもよい。また、当該プログラムをインターネット等のネットワーク経由で提供又は配布するように構成してもよい。また、当該プログラムを、ＲＯＭ等に予め組み込んで提供するように構成してもよい。
【０１０１】
上記構成により、充電キャビネット２６に収納された端末装置２０の充電及びメンテナンス処理を行う際の庫内温度の上昇を抑制することが可能となる。
【０１０２】
以下に、他の実施形態について図面を参照して説明するが、第１実施形態と同一又は同様の箇所についてはその説明を省略する。
【０１０３】
（第２実施形態）
図１３は、第２実施形態に係る情報処理システム１０における処理を示すシーケンス図である。第２実施形態は、庫内温度を考慮して端末装置２０の動作モードを切り替える点で第１実施形態と相違する。本実施形態に係るモード設定部３０２は、庫内温度が閾値を超えた場合に、充電制御装置３０に接続された端末装置２０の動作モードを省電力モードに切り替える。
【０１０４】
端末装置２０と充電制御装置３０とが接続される（端末装置２０がケーブル３４に接続される）と（Ｓ３０１）、充電制御装置３０の通信制御部２０３は、端末装置２０に対して機器情報の出力を要求する（Ｓ３０２）。端末装置２０の機器情報出力部１０２は、充電制御装置３０からの要求を受け取ると、機器情報を情報処理装置３２に対して出力する（Ｓ３０３）。情報処理装置３２は、端末装置２０からの端末情報を、充電制御装置３０を介して受け取ると、端末装置２０に対して電源状態情報の出力を要求する（Ｓ３０４）。端末装置２０の電源状態出力部１０３は、情報処理装置３２からの要求を、充電制御装置３０を介して受け取ると、電源状態情報を情報処理装置３２に対して出力する（Ｓ３０５）。
【０１０５】
情報処理装置３２のメンテナンス管理部３０１は、端末装置２０から受け取った電源状態情報がＯＮ状態を示す場合、端末装置２０に対してメンテナンス処理を開始させる指示（メンテナンス開始コマンド）を、無線通信４１を介して出力する（Ｓ３０６）。このとき、端末装置２０の電源状態がＯＮ状態でない場合（ＯＦＦ状態又はスタンバイ状態である場合）、メンテナンス管理部３０１は、電源状態がＯＮ状態になるまで待機してもよい。端末装置２０のメンテナンス処理部１０４は、情報処理装置３２からメンテナンス開始コマンドを、無線通信４１を介して受け取ると、メンテナンス処理を実行する（Ｓ３０９）。情報処理装置３２のメンテナンス管理部３０１は、無線通信４１を介して端末装置２０のメンテナンス処理の状況（プログラムの更新処理の進行度合い等）を監視する（Ｓ３１０）。
【０１０６】
メンテナンス処理の実行中において、庫内温度が閾値を超えた場合、充電制御装置３０の温度検出部２０４は、充電キャビネット２６内が高温状態であることを情報処理装置３２に対して通知する（Ｓ３１１）。情報処理装置３２のモード設定部３０２は、充電制御装置３０から高温状態であることの通知を受け取ると、端末装置２０に対して省電力モード実行コマンドを出力する（Ｓ３１２）。
【０１０７】
端末装置２０のモード制御部１０５は、情報処理装置３２からの省電力モード実行コマンドを、充電制御装置３０を介して受け取ると、省電力モードを実行する（通常モードから省電力モードに切り替える）（Ｓ３１３）。これにより、端末装置２０の消費電力量が低減され、端末装置２０の発熱量が低減され、庫内温度の上昇が抑制される。その後、端末装置２０のモード制御部１０５は、動作モードが省電力モードに切り替わったことを示すモード情報を情報処理装置３２に対して出力する（Ｓ３１４）。
【０１０８】
その後、庫内温度が閾値以下となった場合、充電制御装置３０の温度検出部２０４は、充電キャビネット２６内が正常状態であることを情報処理装置３２に対して通知する（Ｓ３１５）。情報処理装置３２のモード設定部３０２は、充電制御装置３０から正常状態であることの通知を受け取ると、端末装置２０に対して通常モード実行コマンドを出力する（Ｓ３１６）。端末装置２０のモード制御部１０５（復帰処理部１１２）は、情報処理装置３２からの通常モード実行コマンドを、充電制御装置３０を介して受け取ると、設定保存部１１３から通常設定情報を読み出し（Ｓ３１７）、通常設定情報に基づき通常モードを実行する（Ｓ３１８）。具体的には、復帰処理部１１２は、抑制処理部１１１により抑制されたデバイスの動作を通常時の動作に復帰させる。その後、端末装置２０のモード制御部１０５は、動作モードが通常モードに切り替わったことを示すモード情報を情報処理装置３２に対して出力する（Ｓ３１９）。
【０１０９】
なお、図１３には、充電制御装置３０に接続された端末装置２０の電源がＯＮ状態であり、且つメンテナンス処理の実行中であり、且つ庫内温度が閾値を超える場合に、省電力モードが実行される例が示されているが、これに限定されるものではない。例えば、端末装置２０の電源がＯＮ状態であり、且つ庫内温度が閾値を超える場合には、メンテナンス処理が実行されていなくても、省電力モードを実行させてもよい。
【０１１０】
端末装置２０と充電制御装置３０との接続が切断された場合には、図１２で示す処理により通常モードに復帰する。
【０１１１】
本実施形態によれば、第１実施形態と同様にメンテナンス処理の実行時における庫内温度の上昇を抑制できると共に、庫内温度を考慮して端末装置２０の動作モードが切り替えられるため、端末装置２０の動作モードが必要以上に切り替えられることを抑制できる。
【０１１２】
（第３実施形態）
図１４は、第３実施形態に係る情報処理システム１０における処理を示すシーケンス図である。第３実施形態は、充電制御装置３０に接続された端末装置２０がメンテナンス処理の実行中であるか否かに関わらず動作モードを切り替える点で第１実施形態と相違する。本実施形態に係るモード設定部３０２は、充電制御装置３０に接続された端末装置２０の電源がＯＮ状態である場合に、省電力モードを実行させる。
【０１１３】
端末装置２０と充電制御装置３０とが接続される（端末装置２０がケーブル３４に接続される）と（Ｓ４０１）、充電制御装置３０の通信制御部２０３は、端末装置２０に対して機器情報の出力を要求する（Ｓ４０２）。端末装置２０の機器情報出力部１０２は、充電制御装置３０からの要求を受け取ると、機器情報を情報処理装置３２に対して出力する（Ｓ４０３）。情報処理装置３２は、端末装置２０からの端末情報を、充電制御装置３０を介して受け取ると、端末装置２０に対して電源状態情報の出力を要求する（Ｓ４０４）。端末装置２０の電源状態出力部１０３は、情報処理装置３２からの要求を、充電制御装置３０を介して受け取ると、電源状態情報を情報処理装置３２に対して出力する（Ｓ４０５）。
【０１１４】
情報処理装置３２のメンテナンス管理部３０１は、端末装置２０から受け取った電源状態情報がＯＮ状態を示す場合、情報処理装置３２のモード設定部３０２は、端末装置２０に対して省電力モード実行コマンドを出力する（Ｓ４０６）。このとき、端末装置２０の電源状態がＯＮ状態でない場合（ＯＦＦ状態又はスタンバイ状態である場合）、モード設定部３０２は、電源状態がＯＮ状態になるまで待機してもよい。端末装置２０のモード制御部１０５は、情報処理装置３２からの省電力モード実行コマンドを、充電制御装置３０を介して受け取ると、省電力モードを実行する（通常モードから省電力モードに切り替える）（Ｓ４０７）。これにより、充電キャビネット２６に収納された（ケーブル３４に接続された）端末装置２０の消費電力量が低減され、端末装置２０の発熱量が低減され、庫内温度の上昇が抑制される。その後、端末装置２０のモード制御部１０５は、動作モードが省電力モードに切り替わったことを示すモード情報を情報処理装置３２に対して出力する（Ｓ４０８）。
【０１１５】
端末装置２０と充電制御装置３０との接続が切断された場合には、図１２で示す処理により通常モードに復帰する。
【０１１６】
本実施形態によれば、ケーブル３４に接続された端末装置２０がメンテナンス処理を実行中であるか否かに関わらず、省電力モードが実行されるため、庫内温度の上昇をより確実に抑制できる。
【０１１７】
なお、上述した実施形態においては、充電制御装置３０と情報処理装置３２とがそれぞれ独立して構成される例を示したが、情報処理システム１０の構成はこれに限定されるものではない。例えば、充電制御装置３０と情報処理装置３２とを一体的に構成してもよい。例えば、充電制御装置３０に比較的高い処理能力を有するプロセッサを搭載し、上述した情報処理装置３２の機能を充電制御装置３０により実現してもよい。
【０１１８】
また、上述した実施形態においては、モード設定部３０２は、ケーブル３４に接続された端末装置２０の電源がＯＮ状態であり、且つ当該端末装置２０のメンテナンス処理が実行中である場合に、省電力モード実行コマンドを出力する。これにより、庫内温度の上昇が憂慮される状況において、適切に省電力モードを実行させることができる。
【０１１９】
また、上述した実施形態においては、モード設定部３０２は、ケーブル３４に接続された端末装置２０の電源がＯＮ状態であり、且つ当該端末装置２０のメンテナンス処理が実行中であり、且つ充電キャビネット２６内の温度が閾値を超えた場合に、省電力モード実行コマンドを出力する。このように実際の庫内温度を参照して端末装置２０の動作モードを切り替えることにより、より適切な切り替えを行うことができる。
【０１２０】
また、上述した実施形態においては、モード設定部３０２は、ケーブル３４に接続された端末装置２０の電源がＯＮ状態である場合に、省電力モード実行コマンドを出力する。このようにメンテナンス処理が実行されているか否かに関わらず省電力モードを実行させることにより、より確実に庫内温度の上昇を抑制できる。
【０１２１】
また、上述した実施形態においては、モード設定部３０２は、ケーブル３４に接続された端末装置２０が省電力モードを実行している場合において、所定の条件が満たされた場合に、当該端末装置２０の動作モードを通常モードに切り替えるための通常モード実行コマンドを出力し、モード制御部１０５は、通常モード実行コマンドに応じて当該端末装置２０の動作モードを通常モードに切り替える。これにより、庫内温度の上昇を抑制する必要がなくなった場合に、端末装置２０の設定を通常の状態（例えばユーザが設定した状態）に戻すことができる。
【０１２２】
また、上述した実施形態においては、端末装置２０は、省電力モードの実行時に、当該端末装置２０に搭載されたデバイスの動作を抑制するための抑制処理を行う抑制処理部１１１を備える。これにより、省電力モード実行時における消費電力の低減を効果的に実現できる。
【０１２３】
また、上述した実施形態においては、端末装置２０は、通常モード時における端末装置２０の設定内容を示す通常設定情報を保存する設定保存部１１３と、設定保存部１１３に保存された通常設定情報に基づき、省電力モードを通常モードに復帰させる復帰処理を行う復帰処理部１１２とを備える。これにより、通常モードへの復帰を効率的に実現できる。
【０１２４】
以上、本発明の実施形態を説明したが、実施形態は例として提示したものであり、発明の範囲を限定することは意図していない。上記新規な実施形態は、その他の様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【符号の説明】
【０１２５】
１０…情報処理システム、２０…端末装置、２２…サーバ、２４…無線通信装置、２６…充電キャビネット（保管庫）、２８…収納エリア、３０…充電制御装置、３２…情報処理装置（制御装置）、３４…ケーブル（接続部）、３６…電源タップ、３７…温度センサ、３８…内部通信ケーブル、３９…ファン、４０…内部無線通信装置、４１…無線通信、４２…上位変換部、４４…装置制御部、４６…端末制御部、５２…充電側ＰＤコントローラ、５４…充電側通信プロセッサ、５６…下位変換部、５８…充電側電源部、６２…端末側ＰＤコントローラ、６４…端末側通信プロセッサ、６６…プロセッシング回路、６８…無線通信部、７０…バッテリ、７２…端末側電源部、７４…電源スイッチ、１０１…接続認識部、１０２…機器情報出力部、１０３…電源状態出力部、１０４…メンテナンス処理部、１０５…モード制御部、１１１…抑制処理部、１１２…復帰処理部、１１３…設定保存部、２０１…接続認識部、２０２…充電制御部、２０３…通信制御部、２０４…温度検出部、２０５…ファン制御部、３０１…メンテナンス管理部、３０２…モード設定部
【要約】
【課題】複数の端末装置を収納する保管庫内の温度上昇を抑制する。
【解決手段】情報処理システムは、端末装置を収納可能な保管庫と、保管庫に収納された端末装置と接続する接続部と、接続部に接続された端末装置を充電するための処理を行う充電制御部と、接続部に接続された端末装置をメンテナンスするためのメンテナンス処理を行うメンテナンス処理部と、所定の条件が満たされた場合に、接続部に接続された端末装置の動作モードを、通常モードから、通常モードより消費電力が少ない省電力モードに切り替えるための第１指示信号を出力するモード設定部と、第１指示信号に応じて端末装置の動作モードを通常モードから省電力モードに切り替えるモード制御部とを備える。
【選択図】図１０【図１】
0006916457.tif 000002
【図２】
0006916457.tif 000003
【図３】
0006916457.tif 000004
【図４】
0006916457.tif 000005
【図５】
0006916457.tif 000006
【図６】
0006916457.tif 000007
【図７】
0006916457.tif 000008
【図８】
0006916457.tif 000009
【図９】
0006916457.tif 000010
【図１０】
0006916457.tif 000011
【図１１】
0006916457.tif 000012
【図１２】
0006916457.tif 000013
【図１３】
0006916457.tif 000014
【図１４】
0006916457.tif 000015